(57)【要約】【課題】ダイバー等が母船等から離れた場合に、母船等から発見され易く、迅速に救援を求めることができ、携帯にも便利な救命具を提供する。【解決手段】複数に分割された中空の支柱２と、複数に分割された支柱の各々２Ａ〜２Ｉの内部に連続して挿通され、複数に分割された支柱を１本に繋ぐ弾性紐状部材３と、弾性紐状部材によって１本に繋がれた支柱の端部に装着された旗体４とで構成される救命具１であって、複数に分割された支柱の相対向する端部が係合すると、複数に分割された支柱全体で１本の支柱を形成し、複数に分割された支柱の相対向する端部の係合が解かれた場合には、複数の支柱の各々は互いに曲折可能な救命具。収納袋６等から救命具を取り出した際に、弾性紐状部材が複数に分割された支柱に弾性力を付加し、複数に分割された支柱の相対向する端部を容易に係合させ、１本の支柱とすることができる。【選択図】図１
2008001299.tif 000002
【特許請求の範囲】
【請求項１】
複数に分割された中空の支柱と、
該複数に分割された支柱の各々の内部に連続して挿通され、前記複数に分割された支柱を１本に繋ぐ弾性紐状部材と、
該弾性紐状部材によって１本に繋がれた支柱の端部に装着された旗体とで構成される救命具であって、
前記複数に分割された支柱の相対向する端部が係合すると、該複数に分割された支柱全体で１本の支柱を形成し、
前記複数に分割された支柱の相対向する端部の係合が解かれた場合には、前記複数の支柱の各々は互いに曲折可能であることを特徴とする救命具。
【請求項２】
前記旗体は、その一辺が前記１本の支柱に沿って取り付けられるものであって、
該一辺の第１の端部は、前記複数に分割された支柱を１本に繋いだ際の一端の分割支柱に固定され、
前記旗体の一辺の中央部は、該一端の分割支柱でない他の分割支柱に軸線方向に移動可能に装着され、
前記旗体の一辺の第２の端部は、前記一端の分割支柱、及び前記他の分割支柱ではない他の分割支柱に、弾性体を介して固定されることを特徴とする請求項１に記載の救命具。
【請求項３】
前記弾性紐状部材によって１本に繋がれた支柱の旗体が装着されていない方の端部は、該救命具の収納袋に一体化されることを特徴とする請求項１又は２に記載の救命具。
【請求項４】
前記旗体は、蛍光色素材からなることを特徴とする請求項１、２又は３に記載の救命具。
【発明の詳細な説明】
【技術分野】
【０００１】
本発明は、救命具に関し、特に、ダイバーや釣り人が海上で母船からはぐれそうになった場合等に使用される救命具に関する。
【背景技術】
【０００２】
従来、海中から浮上したダイバーや、海面等に転落した釣り人等を母船上から発見するには、船員や救助者の視認に頼っていた。しかし、海上に浮上したダイバー等を母船上からの視認によって発見するのは容易ではなく、母船への引き上げが遅れてダイバー等が長時間海上を漂流したり、最悪の事態を招くおそれもある。
【０００３】
そこで、ダイバー等は、空気ボンベから排出される空気によって支柱を伸長させることのできる救命具を常時携帯し、母船からはぐれそうになった場合には、海上でこの救命具の支柱を伸長させ、母船上から発見され易いようにしていた。
【発明の開示】
【発明が解決しようとする課題】
【０００４】
しかし、上記救命具等は、支柱を伸長させるにあたって空気を使用しているため、空気ボンベを携帯する必要があるとともに、空気によっては長い支柱を完全に直立させることが困難であるため、母船上からの発見が容易ではないという問題があった。
【０００５】
そこで、本発明は、上記従来の救命具等における問題点に鑑みてなされたものであって、母船等から発見され易く、迅速に救援を求めることができ、携帯にも便利な救命具を提供することを目的とする。
【課題を解決するための手段】
【０００６】
上記目的を達成するため、本発明は、複数に分割された中空の支柱と、該複数に分割された支柱の各々の内部に連続して挿通され、前記複数に分割された支柱を１本に繋ぐ弾性紐状部材と、該弾性紐状部材によって１本に繋がれた支柱の端部に装着された旗体とで構成される救命具であって、前記複数に分割された支柱の相対向する端部が係合すると、該複数に分割された支柱全体で１本の支柱を形成し、前記複数に分割された支柱の相対向する端部の係合が解かれた場合には、前記複数の支柱の各々は互いに曲折可能であることを特徴とする。
【０００７】
そして、本発明によれば、前記複数に分割された支柱の各々の内部に連続して挿通され、前記複数に分割された支柱を１本に繋ぐ前記弾性紐状部材を備えることによって、収納袋等から前記救命具を取り出した際に、前記弾性紐状部材が、前記複数に分割された支柱に弾性力を付加し、前記複数に分割された支柱の相対向する端部を容易に係合させることができる。このため、ダイバー等が母船等からはぐれてしまった際に、簡単に救命具を組み立てて迅速に救援を求めることができる。また、支柱を伸長させるにあたって空気を使用していないため、支柱を長く延ばすことができ、母船上から発見され易くなる。さらに、救命具を使用しない際には、相対向する端部の係合を解き、前記支柱を曲折させて収納袋等にコンパクトに収納できるので、携帯にも便利である。
【０００８】
前記救命具において、前記旗体は、その一辺が前記１本の支柱に沿って取り付けられるものであって、該一辺の第１の端部は、前記複数に分割された支柱を１本に繋いだ際の一端の分割支柱に固定され、前記旗体の一辺の中央部は、該一端の分割支柱でない他の分割支柱に軸線方向に移動可能に装着され、前記旗体の一辺の第２の端部は、前記一端の分割支柱、及び前記他の分割支柱ではない他の分割支柱に、弾性体を介して固定されることを特徴とする。
【０００９】
上記構成により、前記複数に分割された支柱を係合されて救命具を組み立てる際に、救命具を組み立てると同時に、旗体がたるみなく掲げられている状態とすることができ、複数に分割された支柱の係合を解く際にも、前記弾性体が伸長することによって、前記支柱を曲折させ易くすることができる。
【００１０】
前記救命具において、前記弾性紐状部材によって１本に繋がれた支柱の旗体が装着されていない方の端部は、該救命具の収納袋に一体化することができる。これにより、例えば、収納袋に取り付け部を設けて、ダイバー等の体に予め収納袋を取り付けておけば、救助を求める際に救命具が流されるおそれがなく、また、支柱を伸長させて保持し易くなるため、安定して救命具を掲げることが可能となる。
【００１１】
前記救命具において、前記旗体を蛍光色素材で形成することができる。これにより、暗い場所や母船等から遠い場所で救援を求めるダイバー等を容易に発見することが可能となる。
【発明の効果】
【００１２】
以上のように、本発明によれば、母船等から発見され易く、迅速に救援を求めることができ、携帯にも便利な救命具を提供することができる。
【発明を実施するための最良の形態】
【００１３】
次に、本発明の実施の形態について、図面を参照しながら詳細に説明する。尚、以下の説明においては、本発明にかかる救命具を、母船を基地としてドリフトダイブ（海の流れに乗ってドリフト（漂う）するスキューバダイビング）を行うダイバーが使用する場合を例にとって説明する。
【００１４】
図１は、本発明にかかる救命具の一実施の形態を示し、この救命具１は、複数に分割された中空の支柱２と、分割された支柱２の各々の内部に連続して挿通され、分割された支柱２を１本に繋ぐ弾性紐状部材３と、弾性紐状部材３によって１本に繋がれた支柱２の端部に装着された旗体４等で構成される。
【００１５】
図２（ａ）に示すように、分割された支柱２（２Ａ、２Ｂ）は、略々全体が２重管構造であり、一端部が外管２１のみ、他端部が内管２２が突出するように両管２１、２２が互いに強固に固定されている。互いに隣接する分割支柱２Ａ、２Ｂは、分割支柱２Ａの内管２２の突出部２２ａが、支柱２Ｂの内管２２が存在しない端部の内部空間２３に挿入され、分割支柱２Ａ、２Ｂの相対向する端部が係合することにより連結される。分割支柱２の各々は、アルミニウム、アルミニウム合金等で形成することができる。
【００１６】
弾性紐状部材３は、図１に示すように、分割された支柱２の各々の内部に連続して挿通されるとともに、支柱２の両端部に張力が付与された状態で固定されている。これにより、複数に分割された支柱２の相対向する端部が係合した場合に、その状態を維持し、支柱２の支柱全体で１本の支柱を形成し、その状態を維持することができる。また、支柱全体の長さが１．５〜２ｍ程度となるように構成する。この弾性紐状部材３には、内部に多数のゴム紐を有し、表面をさらにゴムで被覆した弾性紐状部材が強度面で優れているため、好適に用いられる。
【００１７】
旗体４は、図１に示すように、その一辺が支柱２に沿って装着され、一端部４ａが分割支柱２Ａに固定され、中間部４ｂが分割支柱２Ｂに軸線方向に移動可能に装着され、他端部４ｃが、分割支柱２Ｅに弾性体５を介して固定される。弾性体５には、上述の弾性紐状部材３と同様のゴム製の材料を用いるのが好ましく、図１（ｂ）に示すように、弾性体５の上方のリング状部５ａを他端部４ｃで挟持した状態で弾性体５の端部を金具５ｂで加締め、弾性体５の下部のリング状部５ｃを取付部２ｅの穴部に挿通させた状態で弾性体５の端部を金具５ｄで加締めることにより、旗体４を強固に支柱２に固定することができるとともに、弾性体５によって旗体４を常に広げた状態に維持することができる。この旗体４は、厚手のナイロン、ポリプロピレン等のプラスチック織物等の防水性、撥水性を有する蛍光色材料で形成され、縦５０ｃｍ、横７０ｃｍ程度の寸法を有する。
【００１８】
図１及び図３に示すように、支柱２の下端部である分割支柱２Ｉには、下端にねじ孔２ａが螺設され、このねじ孔２ａに収納袋６のねじ６ａを螺合させることができ、収納袋６と支柱２とを一体化させることができる。また、収納袋６は、ダイバーがこの収納袋６を装着する際に使用する取付部６ｂを備える。
【００１９】
次に、上記構成を有する救命具１の使用方法について、図面を参照しながら説明する。
【００２０】
救命具１の使用前には、図４に示すように、図１に示した分割支柱２Ａ〜２Ｉの相対向する端部の係合が解かれた状態、すなわち支柱２を折り畳んだ状態で救命具１全体が収納袋６に収納されている。図示を省略するが、旗体４も畳んだ状態で収納袋６内に収納されている。また、この状態で、図３に示した収納袋６のねじ６ａが支柱２の下端に位置する分割支柱２Ｉのねじ孔２ａにねじ込み固定される。ねじ６ａの穴部６ｃに弾性紐状部材３の一端が固定される。
【００２１】
ダイバーは、救命具１が収納された収納袋６を取付部６ｂを介して体の一部に装着し、ダイビングを行う。尚、釣り人であれば、救命具１が収納された収納袋６を取付部６ｂを介して体に取り付けた状態で船上等で釣りを行う。
【００２２】
そして、ドリフトダイブを行い、海中から浮上したダイバーが母船から離れてしまい、母船上から自らが視認されるのが困難になっていると判断した場合には、収納袋６から救命具１を取り出し、旗体４を拡げ、分割されている支柱２を組み立てる。この際、複数に分割された支柱２Ａ〜２Ｉの内部に弾性紐状部材３が挿通されているため、ダイバーがすべて分割支柱２Ａ〜２Ｉを自ら組立てなくても、ある程度弾性紐状部材３の弾性力によって自動的に組立が行われる。
【００２３】
しかし、収納袋６から救命具１を取り出した際に、連結されなかった分割支柱については、ダイバーが、図２（ａ）に示すように、分割支柱２Ａの突出部２２ａを隣接する分割支柱２Ｂの左端部内部空間２３にＷ方向に挿入して組み立てる。また、この際、上記のように、旗体４を分割支柱２Ｅに弾性体５を介して装着しているため、分割されている支柱２を組み立てると同時に、旗体４を拡げることができる。
【００２４】
支柱２の全体を１本に連結し終わると、収納袋６に支柱２の下端（ねじ孔２ａの存在する端部）を挿入して直立させる。これにより、救命具１を海上に安定した状態で維持することができる。このようにして救命具１を海上に掲げると、海上２．５〜３ｍ程度の高さに蛍光色素材からなる旗体４が翻るため、遠方でも、また暗い場所でも容易に旗体４がを発見することができ、母船とダイバーの間が１ｋｍ程度離れていても、母船からダイバーを視認することができる。
【００２５】
救命具１を使用し終わると、ダイバーは、図２（ｂ）に示すように、支柱２Ａ、２Ｂを互いに離間する方向（矢印Ｘ方向）に移動させ、分割支柱２Ａの内管２２の突出部２２ａを支柱２Ｂの内部空間２３から引き抜き、支柱２Ａ、２Ｂを矢印Ｙ方向に曲折することにより、支柱２全体を小さく折り畳むことができる。最後に、旗体４を折り畳んだ支柱２に巻き付けて収納袋６に収納して保管することができる。
【図面の簡単な説明】
【００２６】
【図１】本発明にかかる救命具を示す図であって、（ａ）は全体概略図、（ｂ）は（ａ）のＡ部拡大図である。
【図２】図１の救命具の互いに隣接する分割支柱の組立及び分離動作を説明するための概略図である。
【図３】図１の救命具の収納袋を示す概略斜視図である。
【図４】図１の救命具を収納袋に収納した状態を示す概略斜視図である。
【符号の説明】
【００２７】
１  救命具
２  支柱
２Ａ〜２Ｉ  分割支柱
２ａ  ねじ孔
２ｅ  取付部
３  弾性紐状部材
４  旗体
４ａ  一端部
４ｂ  中間部
４ｃ  他端部
５  弾性体
５ａ  リング状部
５ｂ  金具
５ｃ  リング状部
５ｄ  金具
６  収納袋
６ａ  ねじ
６ｂ  取付部
６ｃ  穴部
２１  外管
２２  内管
２２ａ  突出部
２３  内部空間
【図１】
2008001299.tif 000003
【図２】
2008001299.tif 000004
【図３】
2008001299.tif 000005
【図４】
2008001299.tif 000006